(57)【特許請求の範囲】
【請求項１】
上下端面が開口し一側に窓部を有する脚枠体内に上端面を有し下端が開口した印鑑保持筒を上下動自在に収納し、前記印鑑保持筒内に印鑑を着脱自在に保持し、前記脚枠体の一側に前記窓部において出没する朱肉を内蔵した回転蓋を回転自在に枢着し、前記印鑑保持筒の上部にホルダーを冠着し、前記印鑑保持筒を常時上方に付勢した状態として、前記印鑑保持筒が最上部に位置する時には前記回転蓋が印鑑の印面を閉塞し、前記印鑑保持筒が下方に位置する時には前記回転蓋が回転して印鑑の印面を開放する印鑑ケースにおいて、
前記ホルダーに螺着した高さ調整部材の下端が、前記印鑑保持筒の上端面に設けた孔を貫通して前記印鑑保持筒内の前記印鑑の上端に当接し、
前記印鑑保持筒の上部と前記ホルダーの上部に前記印鑑保持筒に保持される印鑑の上部が露呈する開口部を設けたことを特徴とする印鑑ケース。
【発明の詳細な説明】
【０００１】
【発明の属する技術分野】
本発明は、未使用時には朱肉を内蔵した回転蓋が印鑑の印面を閉塞して印面に朱肉が接触し、使用時には捺印動作と連動して回転蓋が回転して印面を開放し捺印することができる印鑑ケースに関する。
【０００２】
【従来の技術】
従来より、三文判等の市販の印鑑を内部に保持し、未使用時には朱肉を内蔵した回転蓋が印鑑の印面を閉塞して印面に朱肉が接触し、使用時には捺印動作と連動して回転蓋が回転して印面を開放する印鑑ケースは知られており、例えば、実開平５−４１８４４号、実開平５−９１８５８号、実開平６−１２０５６号、特開平９−３１４９７７号等に開示されている。この種の印鑑ケースにおける印鑑の取り付けは、回転蓋を回転させて印鑑保持筒の下端開口を開放した状態にしておき、その下端開口から印鑑を挿入して印鑑保持筒に印鑑を保持させることにより行うものである。一方、印鑑ケースに取り付けた印鑑を取り外す際には、印鑑の取り付け時と同様に回転蓋を回転させて印鑑保持筒の下端開口を開放し、その状態で印鑑保持筒の上方に冠着されたホルダーの上面に設けてある印鑑保持筒内に連通する小孔に千枚通しやボールペンの中芯等の細長物を差し込んで印鑑の後端を押すことにより印鑑保持筒の下端開口より取り外すものである。
【０００３】
【発明が解決しようとする課題】
そして、この種の印鑑ケースに前記した要領で印鑑を取り付ける際、印鑑の印面向きが印鑑ケースの正面位置とずれていることがあり、この状態のまま印鑑を取り付けて使用すると、まっすぐ捺印できないということがあった。ところが、従来のこの種の印鑑ケースでは、印鑑を取り付けた後に印面向きを調整することについては全く考慮されていなかった。
【０００４】
即ち、従来の印鑑ケースにおいて印鑑を取り付けた後に印面向きを調整する場合には、印鑑を取り外す際と同様に回転蓋を回転させて印鑑保持筒の下端開口を開放し、その状態で印鑑保持筒に冠着されたホルダーの上面の小孔に千枚通しやボールペンの中芯等の細長物を差し込んで印鑑の後端を押して、印鑑保持筒の下端開口より印鑑の印面側を指で摘める程度に突出させて印鑑の印面側を指で摘んで調整するか、印鑑ケースに取り付けた印鑑を取り外して印面向きを確認し再度印鑑を取り付けていた。このため、印鑑の印面側を指で摘んで調整すると印面に付着した朱肉により指が汚れてしまうという欠点があり、又、一度取り付けた印鑑を再度取り付け直すという作業は非効率的で面倒であった。
【０００５】
そこで、本発明は印鑑ケースに印鑑を取り付けた後において、印鑑保持筒の下端開口より印鑑の印面側を突出させたり、一度取り付けた印鑑を取り外したりしなくても、印鑑の印面向きを指を汚すことなく容易に調整することができる印鑑ケースを提供することを目的とする。
【０００６】
【課題を解決するための手段】
本発明は前記した課題を解決するために、上下端面が開口し一側に窓部を有する脚枠体内に上端面を有し下端が開口した印鑑保持筒を上下動自在に収納し、前記印鑑保持筒内に印鑑を着脱自在に保持し、前記脚枠体の一側に前記窓部において出没する朱肉を内蔵した回転蓋を回転自在に枢着し、前記印鑑保持筒の上部にホルダーを冠着し、前記印鑑保持筒を常時上方に付勢した状態として、前記印鑑保持筒が最上部に位置する時には前記回転蓋が印鑑の印面を閉塞し、前記印鑑保持筒が下方に位置する時には前記回転蓋が回転して印鑑の印面を開放する印鑑ケースにおいて、前記ホルダーに螺着した高さ調整部材の下端が、前記印鑑保持筒の上端面に設けた孔を貫通して前記印鑑保持筒内の前記印鑑の上端に当接し、前記印鑑保持筒の上部と前記ホルダーの上部に前記印鑑保持筒に保持される印鑑の上部が露呈する開口部を設けたことを特徴とする印鑑ケースである。
【０００７】
【発明の実施の形態】
以下、本発明の一実施の形態を図面を基に説明する。１は上下端面が開口したプラスチック製の中空状の脚枠体で、下部一側面には窓部２を設けてあり、この窓部２の上縁には後述する回転蓋１１を枢着するための小孔を有する一対の支持部３を設けてあり、窓部２を有する側面と連続する対向二側面には窓部２と連通する一対の切欠部４を設けてある。この切欠部４は前記支持部３の小孔を中心とした円周上を切欠いた半円状となっている。
【０００８】
５は下端が開口したプラスチック製の中空状の印鑑保持筒で、下部側面の対向位置には縦方向に延びる一対の縦溝６を設けてあり、上部側面の対向位置には印鑑保持筒５の内外を連通させる一対の開口部７を設けてあり、この一対の開口部７の間に位置する側面の対向位置には一対の係止爪８を設けてあり、上端面には孔９を設けてある。又、この印鑑保持筒５の内部には三文判等の朱肉を必要とする市販の印鑑を着脱自在に保持するための筒状のカツラバネ１０を嵌挿してある。この印鑑保持筒５は、開口部７側を脚枠体１の下端開口より挿入して縦溝６と切欠部４を対向させて脚枠体１の内部に上下動自在に収納するものである。
【０００９】
１１はプラスチック製の回転蓋で、図４に示すように側板部１２の一側には朱肉を含浸させた朱肉パッド１３が配設される朱肉皿１４を設けてあり、側板部１２の上縁中央には小孔を有する軸受け部１５を設けてあり、側板部１２の上部両端には内方に突出する突子１６を内面に有する一対のガイド片１７を設けてある。この回転蓋１１の組み付けは、脚枠体１の切欠部４と脚枠体１内に収納された印鑑保持筒５の縦溝６を同位置としてガイド片１７の突子１６を切欠部４と縦溝６内に位置させて、その状態で軸受け部１５を脚枠体１の一対の支持部３の間に配置して支持部３の小孔と軸受け部１５の小孔を連通させて、その小孔に軸１８を嵌挿することにより脚枠体１に回転自在に枢着するものである。
【００１０】
このように回転蓋１１を脚枠体１に枢着した状態では、ガイド片１７の突子１６の周面は切欠部４の切欠面に常時当接し、かつ、突子１６は脚枠体１内に収納された印鑑保持筒５の縦溝６内に常時位置するものとなる。そして、図６に示すように突子１６が縦溝６の下端に当接し、かつ、回転蓋１１の側板部１２が窓部２を閉塞している時、印鑑保持筒５は下端が脚枠体１の下端開口よりも上方に位置し脚枠体１内おいて上方に抜け止めされて最上部に位置することとなり、この時、朱肉皿１４は印鑑保持筒５の下端開口を閉塞し、回転蓋１１は窓部２において脚枠体１内に没入して完全に閉じた状態となる。尚、回転蓋１１が完全に閉じた状態にある時、図６に示すようにガイド片１７の突子１６は切欠部４の上部に位置する。
【００１１】
１９は下端が開口し下部一側を切欠いたプラスチック製の中空状のホルダーで、上部側面の対向位置には印鑑保持筒５の開口部７に対応する一対の開口部２０を設けてあり、この一対の開口部２０の間に位置する側面の対向位置には印鑑保持筒５の係止爪８に対応する一対の係止孔２１を設けてある。このホルダー１９の組み付けは、印鑑保持筒５を内部に収納した脚枠体１の上端面に弾発部材２２を配設した状態で、脚枠体１の上端開口より突出した印鑑保持筒５の係止爪８を係止孔２１に係止させることにより印鑑保持筒５に冠着するもので、これにより、ホルダー１９は印鑑保持筒５と連結されて一体化されるものである。尚、本実施の形態では弾発部材２２としてコイルスプリングを使用している。
【００１２】
そして、ホルダー１９を印鑑保持筒５に冠着した時、図２及び図３に示すように弾発部材２２の一端は脚枠体１の上端面に当接し他端はホルダー１９内の環状段部２３に当接して、印鑑保持筒５はホルダー１９と共に常時上方に付勢された状態となり、これにより、印鑑保持筒５は常時脚枠体１内の最上部に位置した状態となり、回転蓋１１は常時閉塞状態となる。
【００１３】
又、ホルダー１９の上端面中央には孔２４を設けてあり、上端外面の孔２４の周縁には上端が開口し外周に雄ねじが形成してある中空状のねじ筒２５を突設してある。このねじ筒２５には、内面に雌ねじが形成され中心に軸部２６を有するプラスチック製の高さ調整部材２７を螺着してあり、図２及び図３に示すようにこの高さ調整部材２７の軸部２６はねじ筒１２内を貫通して、下端がホルダー１９の孔２４と印鑑保持筒５の孔９を介して印鑑保持筒５内に突出している。この高さ調整部材２７を回転させると、高さ調整部材２７の雌ねじとねじ筒２５の雄ねじの螺合により高さ調整部材２７はねじ筒２５に対して上下動し、これにより、軸部２６の下端は印鑑保持筒５内で上下動する。尚、この高さ調整部材２７の中心には上下に貫通する貫通孔２８を設けてある。
【００１４】
２９はプラスチック製の下端が開口した中空状のホルダーキャップであり、内側面対向位置には一対の突起３０を設けてあり、この突起３０と、ホルダー１９の上部側面の対向位置に設けられた一対の突起３１を乗り越え嵌合させることにより、ホルダーキャップ２９はホルダー１９の上部に着脱自在に冠着するものである。このホルダーキャップ２９は印鑑保持筒５の上部に設けられた一対の開口部７やホルダー１９の上部に設けられた一対の開口部２０や高さ調整部材２７等を覆い隠すものである。
【００１５】
次に、以上のように構成された本実施の形態による印鑑ケースに印鑑３２を取り付ける方法について説明する。ホルダー１９を弾発部材２２の弾発力に抗して押圧して脚枠体１に対して押し下げると、回転蓋１１は印鑑保持筒５により押圧され、この押圧力により回転蓋１１は図７に示すように朱肉皿１４の上面が印鑑保持筒５の下端角部３５に当接しながら脚枠体１の外側方向に回転し、この回転蓋１１の回転と共に印鑑保持筒５は脚枠体１内を下降する。
【００１６】
そして、印鑑保持筒５の下端開口が脚枠体１の下端開口に位置するまでホルダー１９を押し下げると、回転蓋１１は図８に示すようにその朱肉皿１４が窓部２より脚枠体１の外側に完全に突出した状態となるまで回転し、このように回転蓋１１が完全に開いた状態となった時、印鑑保持筒５の下端開口は開放される。ここで、印鑑保持筒５が脚枠体１内を下降して回転蓋１１が脚枠体１の外側方向に回転する時、図６及び図７及び図８に示すようにガイド片１７の突子１６はその周面が脚枠体１の切欠部４の切欠面に当接しながら切欠部４の下方に移動し、かつ、突子１６は印鑑保持筒５の縦溝６の上方に移動するものであり、印鑑保持筒５の溝部６は回転蓋１１の回転を妨げない大きさに設定されるものである。
【００１７】
そして、図８に示すようにホルダー１９を押し下げて回転蓋１１を完全に開いた状態として印鑑保持筒５の下端開口を開放したら、この状態を保ちながら印鑑保持筒５の下端開口より印鑑３２を挿入して、印鑑３２を印鑑保持筒５に保持させる。この時、印鑑３２の上端が高さ調整部材２７の軸部２６下端面に当接するまで印鑑３２を挿入する。尚、図２及び図３に示すように印鑑３２の上端が高さ調整部材２７の軸部２６下端面に当接した時、印鑑３２の上部は印鑑保持筒５の上部にある開口部７の部分に位置し、印鑑３２の印面３３は印鑑保持筒５の下端開口より下方に突出した状態となる。
【００１８】
そして、印鑑３２の上端が高さ調整部材２７の軸部２６下端面に当接したら、ホルダー１９への押圧を解く。すると、印鑑保持筒５は弾発部材２２の弾発力により脚枠体1内を上昇し、これに伴いガイド片１７の突子１６は縦溝６の下端に接近していく。そして、図７に示すように突子１６が縦溝６の下端に当接した後に印鑑保持筒５が脚枠体1内を更に上昇すると、突子１６と縦溝６下端の当接により回転蓋１１はその朱肉皿１４の上面が印鑑保持筒５の下端角部３５に当接しながら脚枠体１の内側方向に回転する。尚、回転蓋１１が脚枠体１の内側方向に回転する時、ガイド片１７の突子１６はその周面が脚枠体１の切欠部４の切欠面に当接しながら切欠部４の上方に移動する（図７→図６参照）。
【００１９】
そして、印鑑保持筒５が最上部に位置した時、回転蓋１１は図６に示すように完全に閉じた状態となって、回転蓋１１の側板部１２は窓部２を閉塞し、朱肉皿１４は印鑑３２の印面３３を閉塞して印面３３に朱肉パッド１３が接触し、これにより、印鑑３２の未使用時には印面３３に朱肉が常時付着した状態となる。以上の作業により印鑑３２の取り付けが完了する。
【００２０】
ここで、本実施の形態では、図６及び図７及び図８に示すように回転蓋１１が回転する際にその朱肉皿１４上面が当接する印鑑保持筒５の下端角部３５をＲ形状としてあり、回転蓋１１が回転する際にはガイド片１７の突子１６の周面が切欠部４の切欠面に常時当接しているので、回転蓋１１はがたつくことなくスムースに開閉する。
【００２１】
次に、本実施の形態の印鑑ケースに取り付けた印鑑３２の印面向きを調整する場合には、図５に示すようにホルダーキャップ２９を取り外した後、前記した印鑑取り付け時と同様にホルダー１９を弾発部材２２の弾発力に抗して押圧して押し下げて印鑑保持筒５を脚枠体１内にて下降させ、回転蓋１１を脚枠体１の外側方向に回転させて図８に示すように完全に開いた状態にする。そして、その状態を保持して印面３３を確認しながら、図５に示す印鑑保持筒５上部の一対の開口部７及びホルダー１９上部の一対の開口部２０において露呈する印鑑３２の上部を指で摘んで周方向に回転させて印面向きを調整する。そして、印面向きの調整が完了したら、前記した印鑑取り付け時と同様にホルダー１９への押圧を解いて、回転蓋１１を図６に示すように完全に閉じた状態にする。このように、本実施の形態では、印鑑保持筒５の開口部７及びホルダー１９の開口部２０において印鑑保持筒５内に保持させた印鑑３２の上部が露呈し、この開口部７、２０より露呈する部分を指で摘むことにより印面向きを調整することができるので、印面向きの調整をする際に印鑑３２を取り外す必要はなく、又、指が汚れることもない。
【００２２】
次に、本実施の形態の印鑑ケースに取り付けた印鑑３２の印面３３と朱肉パッド１３の接触状態を調整する場合には、図５に示すようにホルダーキャップ２９を取り外して高さ調整部材２７を回転させて、この高さ調整部材２７の軸部２６を印鑑保持筒５内で上下動させることにより、印鑑保持筒５の下端開口における印鑑３２の印面３３の突出量を調整する。これにより、印面３３に付着する朱肉の量を適正にすることができる。
【００２３】
次に、本実施の形態のケースに取り付けた印鑑３２を捺印する場合には、脚枠体１を捺印位置に置いた状態で、前記した印鑑取り付け時と同様にホルダー１９を弾発部材２２の弾発力に抗して押圧して押し下げ、印鑑保持筒５を脚枠体１内にて下降させて回転蓋１１を脚枠体１の外側方向に回転させて、回転蓋１１を図８に示すように完全に開いた状態とする。すると朱肉が付着した印面３３が脚枠体１の下端開口より露呈して、これにより捺印することができる。そして、捺印が完了したら、前記した印鑑取り付け時と同様にホルダー１９への押圧を解いて、回転蓋１１を図６に示すように完全に閉じた状態にする。
【００２４】
次に、印鑑３２を他の種類の印鑑と交換する場合には、前記した印鑑取り付け時と同様に図８に示すように回転蓋１１を完全に開いた状態として、ホルダーキャップ２９の上端面中央に設けてある小孔３４に千枚通しやボールペンの中芯等の細長物を差し込んで高さ調整部材２７の貫通孔２８を介して印鑑３２の後端を押すことにより印鑑保持筒５の下端開口より印鑑３２を取り外し、その印鑑保持筒５の下端開口より交換する他の印鑑を挿入する。
【００２５】
以上が、本発明の一実施の形態であるが、前記した実施の形態では、印鑑保持筒５の上部に設けた開口部７とホルダー９の上部に設けた開口部２０の数はそれぞれ二つとしていたが、この数は特に限定されるものではない。又、回転蓋１１を開閉させる構成は、前記した実施の形態によるものに限定されるものではなく、他の公知の構成であっても良い。
【００２６】
【発明の効果】
以上の通り、本発明の印鑑ケースでは、印鑑保持筒の上部とホルダーの上部に印鑑保持筒内に保持される印鑑の上部が露呈する開口部を設けたので、印鑑ケースに印鑑を取り付けた後に印面向きを調整する際には、印鑑保持筒の下端開口より印鑑の印面側を突出させたり、一度取り付けた印鑑を取り外さなくても、前記開口部より露呈する印鑑の上部を指で摘んで回転させることにより、印鑑ケースに印鑑を取り付けた状態で指を汚すことなく容易に印鑑の印面向きを調整することができる。
【図面の簡単な説明】
【図１】本発明の一実施の形態の分解斜視図。
【図２】本発明の一実施の形態の側面断面図。
【図３】本発明の一実施の形態の正面断面図。
【図４】本発明の一実施の形態の回転蓋の断面図。
【図５】本発明の一実施の形態のホルダーキャップを外した状態の正面図。
【図６】本発明の一実施の形態の回転蓋が閉じた状態を示す説明図。
【図７】本発明の一実施の形態の回転蓋が回転した状態を示す説明図。
【図８】本発明の一実施の形態の回転蓋が完全に開いた状態を示す説明図。
【符号の説明】
１  脚枠体
２  窓部
３  支持部
４  切欠部
５  印鑑保持筒
６  縦溝
７  開口部
８  係止爪
９  孔
１０  カツラバネ
１１  回転蓋
１２  側板部
１３  朱肉パッド
１４  朱肉皿
１５  軸受け部
１６  突子
１７  ガイド片
１８  軸
１９  ホルダー
２０  開口部
２１  係止孔
２２  弾発部材
２３  環状段部
２４  孔
２５  ねじ筒
２６  軸部
２７  高さ調整部材
２８  貫通孔
２９  ホルダーキャップ
３０  突部
３１  突部
３２  印鑑
３３  印面
３４  小孔
３５  下端角部
【図１】
0004780850.tif 000002
【図２】
0004780850.tif 000003
【図３】
0004780850.tif 000004
【図４】
0004780850.tif 000005
【図５】
0004780850.tif 000006
【図６】
0004780850.tif 000007
【図７】
0004780850.tif 000008
【図８】
0004780850.tif 000009